(57)【特許請求の範囲】
【請求項１】
布片を止め縫い用ステッチ及び装飾用ステッチで布地に縫い付けるためのデータを作成するアップリケの刺繍データ作成装置において、布片の輪郭データを入力する手段と、Ｖステッチ、Ｅステッチ及び歩きステッチを含む複数種の止め縫い用ステッチの選択画面を表示して該止め縫い用ステッチのうちから飾り縫いの前に一つの布片を布地に止め縫いするのに全て使用する二種以上の止め縫い用ステッチを選択させ得る手段と、選択された前記二種以上の止め縫い用ステッチを形成するための二種以上の止め縫いデータのそれぞれを輪郭データに基づいて全て作成する手段と、装飾用ステッチを形成するための飾り縫いデータを輪郭データに基づいて作成する手段とを含むことを特徴とするアップリケの刺繍データ作成装置。
【発明の詳細な説明】
【０００１】
【発明の属する技術分野】
本発明は、アップリケの刺繍データを作成する装置に関するものである。
【０００２】
【従来の技術】
例えば、図１２に示すアップリケ５１においては、靴下形の布片５２が止め縫い用ステッチ５３と装飾用ステッチ５４とで布地５５に縫い付けられている。このアップリケ５１の刺繍データを作成するにあたり、従来の刺繍データ作成装置は、布片５２の輪郭データに基づき、止め縫い用ステッチ５３を形成するための止め縫いデータと、装飾用ステッチ５４を形成するための飾り縫いデータとを作成していた。
【０００３】
【発明が解決しようとする課題】
ところが、前記従来の刺繍データ作成装置は、選択は可能であるが一種の止め縫い用ステッチ５３を形成するための止め縫いデータしか作成しないため、布片５２の形状や材質によっては止め縫いによる保持力が不足する場合があった。その場合、飾り縫いの段階で、布片５２がずれて皺になったり、布片５２の一部が捲れたりして、アップリケの見栄えが低下したり不良品になったりするおそれがあった。
【０００４】
本発明の目的は、上記課題を解決し、アップリケ用の布片を二種以上の止め縫い用ステッチで布地に強固に保持することができ、もってアップリケの見栄えの低下や不良品の発生を防止することができるアップリケの刺繍データ作成装置を提供することにある。
【０００６】
【課題を解決するための手段】
上記目的を達成するために、本発明は、布片を止め縫い用ステッチ及び装飾用ステッチで布地に縫い付けるためのデータを作成するアップリケの刺繍データ作成装置において、布片の輪郭データを入力する手段と、Ｖステッチ、Ｅステッチ及び歩きステッチを含む複数種の止め縫い用ステッチの選択画面を表示して該止め縫い用ステッチのうちから飾り縫いの前に一つの布片を布地に止め縫いするのに全て使用する二種以上の止め縫い用ステッチを選択させ得る手段と、選択された前記二種以上の止め縫い用ステッチを形成するための二種以上の止め縫いデータのそれぞれを輪郭データに基づいて全て作成する手段と、装飾用ステッチを形成するための飾り縫いデータを輪郭データに基づいて作成する手段とを含むことを特徴とする。
【０００７】
ここで、輪郭データを入力する手段としては、デジタイザ等の型紙を用いる装置、又はＣＡＤ等の作図機能を備えた装置、イメージスキャナ等を例示することができる。止め縫い用ステッチとしては、Ｖステッチ（単位ステッチ形状がＶ字状をなすステッチをいう。）、Ｅステッチ（単位ステッチ形状がＥ字状をなすステッチをいう。）及び歩きステッチ等があり、装飾用ステッチとしては、サテンステッチ又はジグザグステッチ等を例示できる。止め縫い用ステッチを選択させる手段としては、ディスプレイに複数種の止め縫いデータを文字、ステッチ形状、アイコン等で列挙した選択画面を表示し、二種以上の止め縫い用ステッチをマウス装置やキーボード装置の操作でチェック、反転表示等させる装置を例示することができる。二種以上の止め縫いデータを作成する手段としては、後述するマイクロコンピュータ等を例示できる。
【０００８】
【発明の実施の形態】
以下、本発明の実施の形態を図面に基づいて説明する。図１は本発明による刺繍データ作成装置を例示するものである。この刺繍データ作成装置の中心は制御装置１１であり、ＣＰＵ、ＲＯＭ、ＲＡＭ、接続用バス、入出力インターフェイス等からなるマイクロコンピュータが使用されている。この制御装置１１には、入力装置としてデジタイザ１２とキーボード１３とが接続され、表示装置としてディスプレイ１４が接続され、印刷装置としてＸ−Ｙプロッタ１５が接続され、外部記憶装置としてフロッピーディスク装置１６とテープパンチャ１７とが接続されている。なお、外部記憶装置として、ハードディスク装置（リムーバブル式を含む。）、磁気テープ装置、磁気カード装置、光磁気ディスク装置、光ディスク装置、ＩＣカード装置等を使用することもできる。
【０００９】
刺繍ミシン２０は、上糸が通された針を上下駆動する複数頭の刺繍ヘッド２１と、釜及び下糸ボビンが内蔵されたベッド２２と、布地２３を展張する刺繍枠２４と、該刺繍枠２４の駆動装置２５等とを備え、キャスタ２６付きで移動可能な台車２７にはテーブル２８上に配置可能なミシン制御装置３０が支持されている。このミシン制御装置３０は、制御盤３１、キーボード３２、ディスプレイ３３、制御盤３１に内蔵された入力装置としてのフロッピーディスク装置３４等を備えている。フロッピーディスク装置３４には、前記フロッピーディスク装置１６で刺繍データの記録されたフロッピーディスク１８が挿入される。
【００１０】
なお、前記データ作成装置にフロッピーディスク装置以外の前記外部記憶装置を使用する場合には、それに対応する外部記憶装置をミシン制御装置３０にも使用する。また、前記データ作成装置とミシン制御装置３０とを伝送ケーブル又は無線伝送装置で接続し、データ作成装置で作成された刺繍データをミシン制御装置３０に直接伝送することもできる。
【００１１】
図２〜図１１は前記データ作成装置によるアップリケの刺繍データ作成方法を例示するものである。図２に示すように、このアップリケ１においては、靴下形の布片２が止め縫い用ステッチとしてのＶステッチ３及び歩きステッチ４と、装飾用ステッチとしてのサテンステッチ５とにより布地２３に縫い付けられている。このアップリケ１の刺繍データ作成方法は、図３に示すような工程順に進行する。図３における矢印付き点線はデータの流れを示している。以下、これらの工程を図４〜図１１を参照しつつ詳述する。
【００１２】
まず、図４（ａ）に示すように、布片２の輪郭を描いた型紙６をデジタイザ１２のボード面に貼り付け、輪郭線上の複数の点Ｐ１，Ｐ２，Ｐ３・・・をボタン・カーソル等のポインティング・デバイス１９でピックアップして、布片２の輪郭データＤ１を入力する。このとき、同図（ｂ）に示すように、刺繍データ作成装置のディスプレイ１４には布片２の輪郭線が表示される。
【００１３】
すると、制御装置１１は、図５に示すように、輪郭データＤ１をゼロオフセットして、位置決め案内用の歩きステッチ等を形成するための仮縫いデータＤ２を作成する。次いで、図６に示すように、輪郭データＤ１を内側へ所定量オフセットして、Ｖステッチ３、歩きステッチ４及びサテンステッチ５の内周データＤ３を作成する。続いて、輪郭データＤ１を外側へ所定量オフセットして、各ステッチ３，４，５の外周データＤ４を作成する。
【００１４】
次に、図８（ａ）に示すように、刺繍データ作成装置のディスプレイ１４に複数種の止め縫い用ステッチを文字等で列挙した選択画面「止め縫いメニュー」を表示し、ここで二種以上の止め縫い用ステッチを選択させ得るようにする（但し、一種の選択も可能である）。次に、選択例▲１▼▲２▼▲３▼を挙げる。
【００１５】
▲１▼  図２のアップリケ１を作成する場合には、図８（ａ）に示すように、「Ｖステッチ」と「歩きステッチ」とをマウスでチェックし、「ＯＫ」ボタンをクリックして確定する。すると、制御装置１１は、同図（ｂ）に示すように、選択したＶステッチ３及び歩きステッチ４を形成するための二種の止め縫いデータＤ５及びＤ６を内周データＤ３と外周データＤ４との間に作成する。
【００１６】
▲２▼  図９（ａ）に示すように、「Ｅステッチ」と「歩きステッチ」とをチェックした場合には、同図（ｂ）に示すように、これら二種の止め縫い用ステッチを形成するための止め縫いデータＤ７及びＤ６が内周データＤ３と外周データＤ４との間に作成される。
【００１７】
▲３▼  図１０（ａ）に示すように、「Ｖステッチ」のみをチェックした場合には、同図（ｂ）に示すように、この一種の止め縫い用ステッチを形成するための止め縫いデータＤ５が内周データＤ３と外周データＤ４との間に作成される。
【００１８】
なお、「その他」をチェックした場合は、「参照」ボタンをクリックして別画面に移り、ここでさらに別の止め縫い用ステッチ（例えば任意に設計した独自のステッチ）を選択できるようになっている。
【００１９】
その後、制御装置１１は、図１１に示すように、サテンステッチ５を形成するための飾り縫いデータＤ８を内周データＤ３と外周データＤ４との間に作成する。なお、装飾用ステッチはこのサテンステッチ５に限定されず、ディスプレイ１４に止め縫い用ステッチと同様の選択画面（図示略）を表示して、ジグザグステッチやその他のステッチを選択することもできる。なお、止め縫い用ステッチ及び装飾用ステッチのピッチ、開始点、進行方向等の詳細データはキーボード１３から予め入力される。
【００２０】
以上の工程が終了すると、図３に示すように、仮縫いデータＤ２、止め縫いデータＤ５〜Ｄ７及び飾り縫いデータＤ８を含む刺繍データがフロッピーディスク１８に格納され、このフロッピーディスク１８が刺繍ミシン２０のフロッピーディスク装置３４に挿入される。そして、刺繍ミシン２０を運転し、仮縫い、止め縫い、飾り縫いを順に実行して、図２に示すアップリケ１を完成する。このアップリケ１によれば、布片２が二種以上の止め縫い用ステッチ３，４で布地２３に強固に保持されるので、飾り縫いの段階で、布片５２が皺になったり布片５２の一部が捲れたりするおそれがなく、不良品の発生を防止することができる。
【００２１】
なお、本発明は前記実施形態の構成に限定されるものではなく、本発明の趣旨から逸脱しない範囲で適宜変更して具体化することもできる。
【００２２】
【発明の効果】
以上詳述したように、本発明に係るアップリケの刺繍データ作成装置によれば、アップリケ用の布片を二種以上の止め縫い用ステッチで布地に強固に保持することができ、もってアップリケの見栄えの低下や不良品の発生を防止することができるという優れた効果を奏する。また、布片が二種以上の止め縫い用ステッチで布地に強固に保持されるので、飾り縫いの段階で、布片が皺になったり布片の一部が捲れたりするおそれがなく、不良品の発生を防止することができる。
【図面の簡単な説明】
【図１】本発明の実施形態に係る刺繍データ作成装置の全体構成図である。
【図２】アップリケの一例を示す平面図である。
【図３】前記刺繍データ作成装置により図２のアップリケの刺繍データを作成する方法を示すフローチャートである。
【図４】図２のアップリケの輪郭データを入力する工程を示す説明図である。
【図５】図２のアップリケの仮縫いデータを示す説明図である。
【図６】図２のアップリケの内周データを示す説明図である。
【図７】図２のアップリケの外周データを示す説明図である。
【図８】図２のアップリケの止め縫いデータを作成する工程を示す説明図である。
【図９】別の止め縫いデータを作成する工程を示す説明図である。
【図１０】さらに別の止め縫いデータを作成する工程を示す説明図である。
【図１１】図２のアップリケの飾り縫いデータを示す説明図である。
【図１２】従来の方法で製作したアップリケを示す平面図である。
【符号の説明】
１    アップリケ
２    布片
３    Ｖステッチ
４    歩きステッチ
５    サテンステッチ
６    型紙
１１    制御装置
１２    デジタイザ
１９    ポインティング・デバイス
２０    刺繍ミシン
２３    布地
Ｄ１    輪郭データ
Ｄ５〜Ｄ７  止め縫いデータ
Ｄ８    飾り縫いデータ
【図１】
0004471241.tif 000002
【図２】
0004471241.tif 000003
【図３】
0004471241.tif 000004
【図４】
0004471241.tif 000005
【図５】
0004471241.tif 000006
【図６】
0004471241.tif 000007
【図７】
0004471241.tif 000008
【図８】
0004471241.tif 000009
【図９】
0004471241.tif 000010
【図１０】
0004471241.tif 000011
【図１１】
0004471241.tif 000012
【図１２】
0004471241.tif 000013